(57)【要約】【課題】ケーブルの接続部分の防水等を確実に行う。【解決手段】ケーブルＣの幹線Ｃ１には分岐線Ｃ２が接続されて分岐されている。ケーシング６はアッパ・ロアの上下に二分割されたシェル６Ａ，６Ｂとからなっていて、アッパ側には注入孔１６と放出孔１７とが開口している。ケーシング６はケーブルＣを収容させた状態で閉じられ、内部には注入孔１６を通して溶融樹脂が充填され、インナモールド部１９が形成される。その後、ケーシング６は成形用金型にセットされ、ケーシング６の外側を包囲するようにしてアウタモールド部２０が形成される。【選択図】図１
2015133822.tif 000002
【特許請求の範囲】
【請求項１】
互いに接続部を介して接続されたケーブルと、
内部に前記ケーブルの接続部分を収容し壁面には開口が貫通して形成されたケーシングと、
前記開口を通して前記ケーシングの内部に充填された樹脂剤によって形成されるインナモールド部と、
前記ケーシングの外側を包囲するようにして形成された樹脂製のアウタモールド部とを備えて構成されていることを特徴とするケーブル接続構造。
【請求項２】
前記ケーブルは幹線から分岐した分岐線を有し、
前記ケーシングは前記幹線の長手方向に沿って分割された半割体を合体させて構成されるとともに、前記ケーシングには前記幹線が収容される幹線収容部とこの幹線収容部に連通し前記分岐線を収容する分岐線収容部とが形成されていることを特徴とする請求項１記載のケーブル接続構造。
【請求項３】
互いに接続部を介して接続された複数本のケーブルに対し、壁面に複数の開口が形成されたケーシング内に前記ケーブルを挿通させ、前記開口を通して前記ケーシングの内部に樹脂剤を充填させて前記ケーシングの内部にインナモールド部を形成した後、
前記ケーシングを金型内にセットし、この金型内に樹脂剤を充填することによって前記ケーシングの外側を包囲するようにしてアウタモールド部を形成することを特徴とするケーブル接続方法。
【発明の詳細な説明】
【技術分野】
【０００１】
本発明は、ケーブル接続構造及びケーブル接続方法に関するものである。
【背景技術】
【０００２】
従来、ケーブルの端末同士の接続部分をケース内に収めて、保護、防水等を図ることがあった。一例として、下記特許文献１を挙げることができる。このものにおいて、ケースは上下に２分割されていて、ケーブルを収容した後に、ケースの分割面同士が突き合わされて閉止される。また、ケースには複数の注入口が開口して形成され、ここからケース内に樹脂材が注入されて内部が樹脂封止されるようになっている。
【先行技術文献】
【特許文献】
【０００３】
【特許文献１】特公平６-１０１８９５号公報
【発明の概要】
【発明が解決しようとする課題】
【０００４】
しかし、上記のものでは、ケース内の隅々まで樹脂が完全に充填されない虞がある。そうなると、ケーブル同士の接続部分における防水、保護等を達成しえなくなってしまう。その対策として、樹脂の注入圧力を高めることが考えられるが、とりわけ上記のように二つ割りされたケースを合体させる形式のものでは、注入樹脂圧が高いと注入作業中にケースが分離してしまう懸念があった。
【０００５】
本発明は、上記のような事情に基づいて完成されたものであって、ケーブルの接続部分の防水等を確実に達成することができるケーブル接続構造及びケーブル接続方法を提供することにある。
【課題を解決するための手段】
【０００６】
本発明のケーブル接続構造は、互いに接続部を介して接続されたケーブルと、内部にケーブルの接続部分を収容し壁面には開口が貫通して形成されたケーシングと、開口を通してケーシングの内部に充填された樹脂剤によって形成されるインナモールド部と、ケーシングの外側を包囲するようにして形成された樹脂製のアウタモールド部とを備えて構成されていることを特徴とする。
【０００７】
また、本発明のケーブル接続方法は、互いに接続部を介して接続された複数本のケーブルに対し、壁面に開口が形成されたケーシング内にケーブルを挿通させ、開口を通してケーシングの内部に樹脂剤を充填させてケーシングの内部にインナモールド部を形成した後、ケーシングを金型内にセットし、この金型内に樹脂剤を充填することによってケーシングの外側を包囲するようにしてアウタモールド部を形成することを特徴とする。
【発明の効果】
【０００８】
本発明のケーブル接続構造及びケーブル接続方法によれば、樹脂材がケーシング内に充填されて形成されたインナモールド部により、ケーブルの接続部に対する簡易的な防水、絶縁、固定等を図ることができる。仮に、インナモールド部がケーシング内を完全に封止し得ていない状況があったとしても、本発明ではケーシングの外部にアウタモールド部を形成するようにしたため、ケーブルに対する防水、絶縁等の機能が確実に高められる。
【図面の簡単な説明】
【０００９】
【図１】本実施例のケーブル接続構造を示す平断面図
【図２】同じく側断面図
【図３】同じく底面側から見た断面図
【図４】図２のＩＶ−ＩＶ線断面図
【図５】図２のＶ−Ｖ線断面図
【図６】図２のＶＩ−ＶＩ線断面図
【発明を実施するための形態】
【００１０】
本発明における好ましい実施の形態を説明する。
本発明のケーブル接続構造においては、前記ケーブルは幹線から分岐した分岐線を有し、前記ケーシングは前記幹線の長手方向に沿って分割された半割体を合体させて構成されるとともに、前記ケーシングには前記幹線が収容される幹線収容部とこの幹線収容部に連通し前記分岐線を収容する分岐線収容部とが形成されるようにしてもよい。
このような構成によれば、ケーシングを長手方向に沿って分割したため、分岐線を有するケーブルであっても、ケーシングの一方の半割体内に沿って配索し、他方の半割体を閉じて合体させれば、ケーブルの幹線は幹線収容部に、分岐線は分岐線収容部にそれぞれ収容することができる。このようにケーシングが分割されていても、アウタモールド部によりケーシングが分離してしまう事態も回避することができる。
次に、本発明のケーブル接続構造を具体化した実施例について、図面を参照しつつ説明する。
【００１１】
＜ケーブル＞
図１に示すように、本実施例のケーブルＣは幹線Ｃ１から２本の分岐線Ｃ２を分岐させた構成となっている。なお、幹線Ｃ１と両分岐線Ｃ２は共にシールド線によって構成されている。図６に示すように、ケーブルＣは、内側被覆１内に２本の導線２が、相互に離間した状態で平行に配索されている。内側被覆１の外周面は中間被覆２１を介して編組線３によって包囲され、さらに編組線３の外側は外側被覆４によって覆われている。
【００１２】
幹線Ｃ１の両導線２は、その途中の異なる位置において被覆１，４が剥がされて露出されており、この露出部分にはそれぞれ分岐線Ｃ２が接続されている。分岐線Ｃ２の端末部分も被覆が剥がされて内部の導線２が露出されている。そして、分岐線Ｃ２側及び幹線Ｃ１側において露出された導線２同士は、スプライス端子５を介してかしめ付けられ、またはスプライス溶接によって接続されている。かくして、幹線Ｃ１と分岐線Ｃ２とは接続部Ｊを介して接続される。
【００１３】
＜ケーシング６＞
ケーシング６は、ケーブルＣの接続部Ｊを含め幹線Ｃ１と分岐線Ｃ２のそれぞれをシールド状態で収容することができる。図４に示すように、ケーシング６は長手方向に沿って上下に二分割され、アッパシェル６Ａとロアシェル６Ｂの２部材からなり、これらを合体させた構成となっている。本実施例の両シェル６Ａ，６Ｂは、導電金属製（例えば銅製）の板材を上向きあるいは下向きに開放する断面略Ｃ字形状に折り曲げて構成されている。
【００１４】
図１に示すように、ケーシング６は、長手方向に沿って形成されケーブルＣの幹線Ｃ１を収容する幹線収容部８と、この幹線収容部８の途中の部位（長手方向の略中央部位）において幹線収容部８と連通しつつ斜め方向に延出して形成され分岐線Ｃ２を収容する分岐線収容部９とから構成されている。図２に示すように、ロアシェル６Ｂには、幹線収容部８及び分岐線収容部９のいずれの側壁の上縁にも、一定の長さ間隔毎に突片１０が上向きに張出し形成されている。図４に示すように、ロアシェル６Ｂにおいて各突片１０の下部には係止爪７が切起こしによって形成されている。各係止爪７は下端側が自由端となっていて、内方へ斜め下向きにかつ撓み可能に突出している。一方、図２に示すように、ロアシェル６Ｂの両側壁において係止爪７から長さ方向へずれた位置であって、かつ係止爪７より低位には、長手方向に沿って一定間隔毎に抜け止め爪１２が設けられている。図４に破線で示すように、各抜け止め爪１２はロアシェル６Ｂの内方へ斜め上向きに突出するようにして切り起こしによって形成され、上方の端部が自由端となる片持ち状に形成されている。
【００１５】
一方、アッパシェル６Ａは、図４に示すように、ロアシェル６Ｂの内側に嵌め入れて組み合わされている。アッパシェル６Ａの両側壁の下縁寄りの部位には長手方向に沿って一定間隔毎に複数の係止孔１１が開口している。アッパ・ロアの両シェル６Ａ，６Ｂが組み合されたときに、上記した各係止爪７が対応する係止孔１１の下縁に係止可能となっている。また、両シェル６Ａ，６Ｂが組み合されたときには、同時にロアシェル６Ｂの各抜け止め爪１２がアッパシェル６Ａの両側壁の下縁に略突き当て状態で係止する。これらのことによって、アッパ・ロアの両シェル６Ａ，６Ｂが上下方向に分離不能に合体されてケーシング６が組み立てられる。
【００１６】
図１、３に示すように、幹線収容部８の長手方向の両端部及び分岐線収容部９の延出端部には、ケーブルＣを外方へ引き出すための引き出し部１３が連続して形成されている。図４に示すように、ケーシング６（幹線収容部８および分岐線収容部９）の一般部が方形状の断面をもって形成されているのに対し、各引き出し部１３は、図５に示すように、概ね円形断面をもって形成されている。そのため、ケーシング６（アッパ・ロアの両シェル６Ａ，６Ｂ）の一般部と各引き出し部１３との境界部分には、幅方向に沿って対向するようにしてスリット１４が切り込まれており、各引き出し部１３の弧状の曲げ加工を容易にしている。図５に示すように、各引き出し部１３におけるアッパシェル６Ａ側とロアシェル６Ｂ側の相互の対向縁には、組み合わせ時に互いに係止し合う爪部１５が設けられている。このことにより、各引き出し部１３においてもアッパ・ロアの両シェル６Ａ，６Ｂが係止状態で組み合わされる。
【００１７】
図１に示すように、アッパシェル６Ａの上面壁にはケーシング６の内部に溶融樹脂剤を充填するための注入孔１６（本発明の開口）及び放出孔１７が開口している。注入孔１６は、幹線収容部８において分岐線収容部９が分岐する部位に配されており、円形状をなして貫通している。より詳細には、注入孔１６が設けられている位置は、幹線収容部８の幅方向に関する中心軸線と分岐線収容部９の幅方向に関する中心軸線との交点上に、注入孔１６の中心が位置するように形成されている。放出孔１７は、幹線収容部８の長手方向の両端部と分岐線収容部９の延出端部にそれぞれ配されている。各放出孔１７は幹線収容部８及び分岐線収容部９の各幅方向の中心軸線上に配されるとともに、いずれも注入孔１６より小径に形成されている。
【００１８】
なお、上記したケーシング６は図示しないが、車両ボディに接続されてアースがとられている。
【００１９】
＜ケーブルＣとケーシング６との接続構造＞
ケーブルＣは上記したケーシング６内に収容され、計３か所の引き出し部１３からそれぞれ外部に引き出されるようになっている。ケーブルＣとケーシング６の各引き出し部１３とは次のようにして接続されている。
【００２０】
図１に示すように、ケーブルＣのうち幹線収容部８及び分岐線収容部９内に対しては中間被覆２１及び編組線３が剥がされて内部被覆付き導体が収容されている。また、ケーブルのうち引き出し部１３と対応する部位では外部被覆４が剥がされ、編組線３が露出されている。そして、図５に示すように、この露出された編組線３の途中は、引き出し部１３を構成するアッパ・ロアの両シェル６Ａ，６Ｂによって外面側から挟み込まれ、さらに編組線３のうち引き出し部１３によって挟み込まれた部分より端部側は引き出し部１３の外周側に折り返され、かしめリング１８によってかしめ付けられている。
【００２１】
かしめリング１８は金属製薄板材によって軸方向の両端が開口する略円筒形状に形成されている。このかしめリング１８は、軸方向の前後部位でそれぞれ別個にかしめ付けられるようになっており、前側部位は上記の折り返された編組線を引き出し部１３との間で挟み付けた状態でかしめ付けられるようになっている。一方、かしめリング１８の後側部位は幹線Ｃ１及び分岐線Ｃ２の外側被覆４にかしめ付けられる。かくして、幹線Ｃ１あるいは分岐線Ｃ２にそれぞれ固定されたかしめリング１８により編組線３は各引き出し部１３、つまりケーシング６に対して電気的に接続されてアースがとられる。
【００２２】
ケーブルＣがケーシング６内に収容された後に、ケーシング６内には注入孔１６から溶融樹脂が注入される。このときの注入圧は、アッパ・ロアの両シェル６Ａ，６Ｂとの係止が解かれて分離しない程度の比較的低い注入圧力である。注入は、ケーシング６の各端部に配された各放出孔１７から溶融樹脂が放出したら停止される。こうして、内部に充填された溶融樹脂が固化すれば、ケーシング６の内部にはインナモールド部１９が形成される。
【００２３】
次に、ケーシング６及びケーブルＣを、型開き状態にある図示しない成形用金型に仕掛ける。この成形用金型においても、型閉じによって金型内に形成される成形空間へ溶融樹脂が充填される。充填用のゲートは、ケーシング６のうち幹線収容部８と分岐線収容部９との交差部分に一箇所、その他幹線収容部８に対応する範囲に２箇所、分岐線収容部９に対応する範囲に１箇所が配されている。こうして、各ゲートからインナモールド部１９と同材質の溶融樹脂が注入される。こうして、型内の樹脂が固化した後、型開きを行えばアウタモールド部２０によって包囲されたケーシング６、ケーブルＣを取り出すことができる。
【００２４】
但し、アウタモールド部２０はケーブルＣがケーシング６から引き出された部分のうち、かしめリング１８より所定長さ後方まで覆われる範囲に亘って形成されている。
【００２５】
以上のように構成された本実施例の効果は次のとおりである。
（１）ケーシング６内にインナモールド部１９が形成されることにより、幹線Ｃ１と分岐線Ｃ２との接続部Ｊに対する簡易的な防水、絶縁、固定等が図られる。仮に、インナモールド部１９がケーシング６内を完全に封止し得ていなかったとしても、ケーシング６の外部にアウタモールド部２０を形成するようにしたため、防水、絶縁等の機能が確実に高められる。
【００２６】
（２）また、本実施例ではケーブルＣの形態として幹線Ｃ１から分岐線Ｃ２が分岐するものであるため、ケーシング６をアッパとロアの２分割の構成にしている。このため、インナモールド部１９を形成する際の注入圧力の大きさによってはケーシング６が分離してしまうことが懸念されるが、本実施例では低い注入圧でもケーブルＣに対する防水等を達成しうるから、注入工程中にケーシング６が分離してしまうことはない。
【００２７】
＜他の実施例＞
本発明は上記記述及び図面によって説明した実施例に限定されるものではなく、例えば次のような実施例も本発明の技術的範囲に含まれる。
（１）上記実施例では、ケーブルＣに関し幹線Ｃ１から分岐線Ｃ２を分岐させる形態のものを示したが、本発明は分岐線Ｃ２を持たず、単にケーブルＣ同士の端末同士を連結させる形態のものに適用してもよい。
（２）上記実施例では、インナモールド部１９とアウタモールド部２０とを同材質にて形成したが、異なる材質によって形成するようにしてもよい。例えば、流動性・硬度等を異にすることが考えられる。
（３）上記実施例では、ケーブルＣの分岐方向は一方向のみであったが、分岐の数は限定されるべきものではなく、多方向に分岐していてもよい。
（４）上記実施例では、ケーブルＣはシールドタイプのものを使用したが、本発明はシールド機能のない通常の電線の接続構造に適用してもよい。
【符号の説明】
【００２８】
６…ケーシング
６Ａ…アッパシェル（半割体）
６Ｂ…ロアシェル（半割体）
８…幹線収容部
９…分岐線収容部
１６…注入孔（開口）
１９…インナモールド部
２０…アウタモールド部
Ｃ…ケーブル
Ｃ１…幹線
Ｃ２…分岐線
Ｊ…接続部
【図１】
2015133822.tif 000003
【図２】
2015133822.tif 000004
【図３】
2015133822.tif 000005
【図４】
2015133822.tif 000006
【図５】
2015133822.tif 000007
【図６】
2015133822.tif 000008